(57)【要約】【課題】患者が呼び出しを行なってから、医療従事者がその患者の病室へ行っていない状態がどの程度経過しているのかを表示しつつ、その間に再び呼び出しが行われても、医療従事者が患者の病室へ行っていない状態であることを把握させる。【解決手段】呼出操作部３が操作された場合に廊下灯表示部１３を第一の色で表示させ、呼出操作部３が操作されてから復旧操作部５が操作されるまでの時間の経過に従って、第一の色の表示を緊急性が高いことを示す第二の色の表示に変化させるとともに、その間に再び呼出操作部３が操作されると、廊下灯表示部１３を第二の色で表示させるようにしているので、色の変化により医療従事者が病室に行っていない状態が続いていることを把握させ、再び呼出操作部３が操作された場合に第二の色を表示させることで、その呼び出しが医療従事者が病室に行っていない病室からのものであることを把握させることができる。【選択図】図１
2014140516.tif 000002
【特許請求の範囲】
【請求項１】
患者が居る病室内に設置されており、患者が医療従事者を呼び出すための呼出操作部と、前記呼出操作部が操作された場合に呼出信号を生成する子機制御部と、前記子機制御部により生成された呼出信号を出力する子機インターフェースとを有するナースコール子機と、
前記ナースコール子機に接続されており、前記呼出信号を入力することで第一の色の表示を行い、制御信号を入力することで前記第一の色を緊急性が高いことを示す第二の色に変化させ、復旧信号を入力することで前記表示を終了させる廊下灯と、
前記ナースコール子機の近傍に設置されており、操作されることで前記復旧信号を生成して出力する復旧操作部と、
前記ナースコール子機から出力された呼出信号および前記復旧操作部から出力された復旧信号を入力するインターフェースと、時間を計測するタイマーと、患者が医療従事者を呼び出していることを報知する報知部と、前記報知部による報知に対して応答するために操作される応答操作部と、前記インターフェースが前記呼出信号を入力した場合に前記報知部および前記タイマーを動作させ、この状態で前記応答操作部が操作されると前記報知部の動作を停止させるとともに、前記インターフェースが前記復旧信号を入力するまでの前記タイマーにて計測した時間の経過に従って、前記制御信号を生成して前記インターフェースにより出力させる親機制御部とを有するナースコール親機と、
を備えたナースコールシステムであって、
前記廊下灯が前記表示を行なっている状態で、前記ナースコール子機の呼出操作部が再び操作されると、前記廊下灯が前記第二の色の表示を行うようにしたことを特徴とするナースコールシステム。
【請求項２】
患者が居る病室内に設置されており、患者が医療従事者を呼び出すための呼出操作部と、前記呼出操作部が操作された場合に呼出信号を生成する子機制御部と、前記子機制御部により生成された呼出信号を出力する子機インターフェースとを有するナースコール子機と、
前記ナースコール子機の近傍に設置されており、操作されることで復旧信号を生成して出力する復旧操作部と、
前記ナースコール子機から出力された呼出信号および前記復旧操作部から出力された復旧信号を入力するインターフェースと、時間を計測するタイマーと、患者が医療従事者を呼び出していることを第一の色の表示、または、緊急性が高いことを示す第二の色の表示で報知する報知部と、前記報知部による報知に対して応答するために操作される応答操作部と、前記インターフェースが前記呼出信号を入力した場合に前記報知部で第一の色の表示を行わせるとともに前記タイマーを動作させて、この状態で前記応答操作部が操作されると前記報知部の動作を停止させるとともに、前記インターフェースが前記復旧信号を入力するまでの前記タイマーにて計測した時間の経過に従って、前記報知部で表示されている第一の色の表示を前記第二の色の表示に変化させ、前記インターフェースが前記復旧信号を入力すると前記報知部の表示を終了させる親機制御部とを有するナースコール親機と、
を備えたナースコールシステムであって、
前記報知部が前記表示を行なっている状態で、前記ナースコール子機の呼出操作部が再び操作されると、前記報知部が前記第二の色の表示を行うようにしたことを特徴とするナースコールシステム。
【請求項３】
前記親機制御部は、前記インターフェースが前記呼出信号を入力した場合に前記タイマーを動作させる代わりに、前記応答操作部が操作された場合に前記タイマーを動作させることを特徴とする請求項１または請求項２に記載のナースコールシステム。
【発明の詳細な説明】
【技術分野】
【０００１】
本発明は、病院や介護施設などで患者や被介護者からの要求に応じて看護師や介護者を呼び出すナースコールシステムに関する。
【背景技術】
【０００２】
従来、ナースコールシステムでは、患者や被介護者（以下、まとめて患者と記載する）の近辺（例えば、ベッド近傍など）に設置されたナースコール子機と看護師や介護者（以下、まとめて医療従事者と記載する）の常駐するスタッフルームなどに設置されたナースコール親機とを有線や無線などにより接続している。このように構成されたナースコールシステムでは、患者がナースコール子機に設けられた呼出操作部を操作することによって、ナースコール親機に設けられた報知部が動作し、患者が医療従事者を呼び出すことができる。医療従事者は、ナースコール親機に設けられたハンドセットをオフフックして応答を行うとともに、患者と通話を行うことができる。
【０００３】
また、このようなナースコールシステムでは、ナースコール子機とナースコール親機との間に、廊下灯を設置することが一般的である。廊下灯は、病室などの部屋の出入口近傍の廊下側の壁面に取り付けられている。また、廊下灯は、取り付けられている病室の番号やその病室に入院している患者の氏名などの患者情報を表示している。また、廊下灯はナースコール親機と連動しており、患者がナースコール子機の呼出操作部を操作して呼び出しを行うと、ナースコール子機はナースコール親機および廊下灯に呼び出しを通知する。このとき、廊下灯は廊下灯に設けたＬＥＤなどを点灯／点滅させることにより廊下灯が設置されている病室で呼び出しが行われていることを知らせる。これにより、廊下に居る医療従事者などは、呼び出しを行った患者が居る病室を特定することができる。
【０００４】
また、上述した構成に加えて、医療従事者が携行する携帯端末（例えば、ＰＨＳ（Personal
Handy phone System）端末など）とＰＢＸ（Private Branch Exchange：電話交換機）とを備えたナースコールシステムも提供されている。そして、ナースコール子機により呼び出しが行われた場合に、携帯端末は鳴動したり振動したりして報知を行う。医療従事者は、携帯端末を操作して応答を行うとともに、患者と通話を行うことができる。
【０００５】
ところで、ナースコール子機からの呼び出しに対して、ナースコール親機のハンドセットや携帯端末にて応答を行うと、ナースコール親機や携帯端末による報知が停止し、廊下灯のＬＥＤが消灯して、呼び出しに対する対応が完了した状態（いわゆる復旧状態）となるナースコールシステムが存在している。しかしながら、このようなナースコールシステムでは、ナースコール子機からの呼び出しに対して、医療従事者がナースコール親機のハンドセットや携帯端末で応答するだけで報知が停止するため、医療従事者が患者の居る病室に赴いて看護を行う必要があるにも関わらず、医療従事者が患者の居る病室へ行くことを忘れるケースが生じてしまうという問題があった。
【０００６】
このような問題を解決するために、ナースコール子機に復旧操作部を設け、復旧操作部の操作によってシステムを復旧状態にするナースコールシステムが知られている（例えば、特許文献１に記載）。
【０００７】
特許文献１に記載のナースコールシステムでは、医療従事者がナースコール親機のハンドセットや携帯端末で応答を行うと、ナースコール親機や携帯端末による報知が停止するものの、廊下灯のＬＥＤが点灯／点滅したままとなり、ナースコールシステムは復旧状態とはならない。このようなナースコールシステムでは、ナースコール子機の近傍に設けた復旧操作部の操作により廊下灯のＬＥＤが消灯してナースコールシステムが復旧状態となる。そのため、ナースコール親機のハンドセットや携帯端末で応答した医療従事者は、復旧操作部の操作をする目的と呼び出しを行った患者の看護を行う目的との両方を満たすために、患者の居る病室へ赴くことになる。従って、呼び出しに応答した医療従事者が患者の病室へ行くことを忘れるケースが少なくなる。なお、特許文献１に記載の復旧操作部を廊下灯に設けるようにしても、上述した効果が得られる。
【０００８】
ところで、特許文献１に記載されているナースコールシステムを導入した場合でも、医療従事者が患者の病室へ行くことを忘れるケースは存在する。このようなケースをできるだけ少なくするために、ナースコール子機による呼び出しが行われてからの時間経過、または、応答が行われてからの時間経過に従って、廊下灯のランプの色を変化させていくことが考えられる。例えば、危険経過時間が累積していくに従って、警告画面に青色、黄色、赤色の表示を点灯させる技術をナースコールシステムに適用すれば良い（例えば、特許文献２に記載）。
【０００９】
これにより、医療従事者は、医療従事者が廊下灯のランプの色を見るだけで、呼び出しを行った患者が居る病室に医療従事者が行っていない状態がどの程度経過しているのかを把握することができる。なお、このような表示をナースコール親機にて行なっても良いことはもちろんである。
【先行技術文献】
【特許文献】
【００１０】
【特許文献１】特開２００９−７７３８７号公報
【特許文献２】特開２０１１−１１２３９６号公報
【発明の概要】
【発明が解決しようとする課題】
【００１１】
しかしながら、上述した特許文献２に記載の技術を特許文献１に適用した従来技術では、呼び出しを行ったにもかかわらず、医療従事者が現れないことに業を煮やした患者が再びナースコール子機によって呼び出しを行った場合に、ナースコール親機にて再び報知が行われ、廊下灯のＬＥＤも呼び出しを通知するために点灯／点滅してしまうため、廊下灯のＬＥＤの状態がリセットされてしまい、呼び出しを行った患者が居る病室に医療従事者が行っていない状態がどの程度経過しているのかがわからなくなってしまうという問題があった。
【００１２】
本発明は、上述したような問題を解決するために成されたものであり、病室近傍にて復旧を行うナースコールシステムにおいて、患者が呼び出しを行なってから、その患者が居る病室へ医療従事者が行っていない状態がどの程度経過しているのかを視覚的に表示しつつ、その間に再び呼び出しが行われても、患者が居る病室へ医療従事者が行っていない状態を医療従事者に把握させることができるようにすることを目的とする。
【課題を解決するための手段】
【００１３】
上述した課題を解決するために、本発明では、患者が医療従事者を呼び出すための呼出操作部をナースコール子機に設け、呼出操作部が操作された場合には、患者が医療従事者を呼び出していることを、廊下灯およびナースコール親機の少なくとも一方で、第一の色の表示にて行うようにしている。そして、呼出操作部が操作されてからナースコール子機の近傍に設けた復旧操作部が操作されるまでの時間の経過に従って、第一の色の表示を緊急性が高いことを示す第二の色の表示に変化させるとともに、復旧操作部が操作されるまでの間に再び呼出操作部が操作された場合に、患者が医療従事者を呼び出していることを、廊下灯およびナースコール親機の少なくとも一方で、第二の色の表示にて行うようにしている。
【発明の効果】
【００１４】
上記のように構成した本発明によれば、患者が呼び出しを行なってから、復旧操作部が操作されるまでの時間の経過に従って、廊下灯やナースコール親機で第一の色の表示よりも緊急度が高いことを示す第二の色の表示が行われるので、医療従事者が患者の病室へ行っていない状態がどの程度経過しているのかを視覚的に表示することができる。また、復旧操作部が操作されていない状態で、患者が再び呼び出しを行った場合に、通常の呼び出しの発生を示す第一の色の表示ではなく、緊急性が高いことを示す第二の色の表示が行われるので、患者が再び呼び出しを行った場合でも、患者が居る病室へ医療従事者が行っていない状態であることを医療従事者に把握させることができる。
【図面の簡単な説明】
【００１５】
【図１】本実施形態によるナースコールシステムの構成例を示すブロック図である。
【発明を実施するための形態】
【００１６】
以下、本発明の一実施形態を図面に基づいて説明する。図１は、本実施形態によるナースコールシステムの構成例を示すブロック図である。図１に示すように、本実施形態によるナースコールシステムは、患者の居る病室のベッド近傍に設置され、患者が呼び出しの操作を行うためのナースコール子機１と、ナースコール子機１の近傍に設置された復旧操作部５と、ナースコール子機１および復旧操作部５を接続し、そのナースコール子機１が設置されている病室の出入口近傍の廊下側の壁面に設置されている廊下灯１０と、医療従事者が常駐するスタッフルーム（例えば、ナースステーションなど）に設置され、呼び出しを報知するためのナースコール親機２０とを備える。ここで、廊下灯１０は、取り付けられている病室の番号やその病室に入院している患者の氏名などの患者情報を表示している。
【００１７】
また、ナースコール子機１は、子機制御部２、呼出操作部３、子機インターフェース４を備えて構成されている。また、廊下灯１０は、廊下灯制御部１１、廊下灯インターフェース１２、廊下灯表示部１３を備えて構成されている。また、ナースコール親機２０は、親機制御部２１、インターフェース２２、タイマー２３、報知部２４、応答操作部２５を備えて構成されている。
【００１８】
まず、ナースコール子機１の構成要素について説明する。子機制御部２は、ナースコール子機１の各構成要素を後述するように制御するためのものであり、ＣＰＵ（Central Processing Unit）などにより構成されている。呼出操作部３は、患者が医療従事者を呼び出す際に操作するためのものであり、ボタンなどにより構成されている。ここで、呼出操作部３は、患者の手元で使用することができるように、可搬性の筐体に設けられている。
また、筐体にはコードが設けられており、このコードの先端にはプラグが設けられている。このプラグは、ベッドの近傍の壁面に設置されているウォールユニットに設けたコンセントに接続される。そのため、ナースコール子機１の筐体は、ベッド近傍で移動可能である。
【００１９】
子機インターフェース４は、廊下灯１０を介してナースコール親機２０のインターフェース２２に接続されており、ナースコール子機１と廊下灯１０とナースコール親機２０とを電気的に接続する。ここで、ナースコール子機１とナースコール親機２０との間で通話が可能である場合に、子機インターフェース４は、ナースコール親機２０へ音声信号を出力し、ナースコール親機２０から音声信号を入力する。また、ナースコール子機１とナースコール親機２０との間の通信は、有線や無線によって行われる。
【００２０】
なお、本実施形態では、ナースコール子機１は、呼出操作部３を備えており、患者の意思によって呼び出しを行うようにしているが、これに限定されない。例えば、ナースコール子機１が、患者の状態を検出する検出部を備えて構成されるようにしても良い。この場合、検出部が患者の所定の状態を検出することで、ナースコール子機１の子機制御部２は後述する呼出信号を生成する。
【００２１】
患者が医療従事者を呼び出したい場合には、患者は呼出操作部３を操作する。すると、子機制御部２は、呼出信号を生成する。ここで、呼出信号には、このナースコール子機１を他のナースコール子機１と識別するための子機識別情報が含まれる。また、子機識別情報としては、ベッド番号などの情報が用いられる。また、子機インターフェース４は、子機制御部２により生成された呼出信号を、廊下灯１０およびナースコール親機２０へ出力する。
【００２２】
復旧操作部５は、廊下灯１０の廊下灯インターフェース１２に接続されている。また、復旧操作部５は、ナースコール子機１の呼出操作部３が操作され、後述する廊下灯表示部１３にて表示が行われて、ナースコール親機２０にて報知が行われた際に、それらの動作を停止するために操作される。ここで、復旧操作部５が操作されると、復旧操作部５は、復旧信号を生成して、廊下灯１０およびナースコール親機２０へ出力する。ここで、復旧信号には、復旧操作部５が接続されている廊下灯１０を他の廊下灯１０と識別するための廊下灯識別情報（例えば、病室番号など）が含まれる。また、この廊下灯識別情報は、子機識別情報の一部に含まれる。例えば、病室番号が１０１号室の１番目のベッドに接続されているナースコール子機１の子機識別情報は「１０１−１」であり、そのナースコール子機１が接続されている廊下灯１０の廊下灯識別情報は「１０１」である。
【００２３】
次に、廊下灯１０の各構成要素について説明する。廊下灯制御部１１は、廊下灯１０の各構成要素を後述するように制御するためのものであり、ＣＰＵなどにより構成されている。廊下灯インターフェース１２は、廊下灯１０をナースコール子機１に電気的に接続するとともに、廊下灯１０をナースコール親機２０に電気的に接続する。また、廊下灯インターフェース１２は、復旧操作部５を接続している。また、廊下灯インターフェース１２は、ナースコール子機１から呼出信号を入力し、復旧操作部５から復旧信号を入力して、ナースコール親機から制御信号を入力する。この制御信号は、後述する廊下灯表示部１３が表示する色を変化させるためのものである。
【００２４】
廊下灯表示部１３は、ディスプレイやＬＥＤなどにより構成されており、少なくとも第一の色、および、第二の色を表示可能である。ここで、第一の色は、緊急性が高くないことを示す色であり、例えば、青色などである。また、第二の色は、緊急性が高いことを示す色であり、例えば、赤色などである。また、廊下灯表示部１３がディスプレイにより構成されている場合には、ディスプレイに第一の色または第二の色を表示する。一方、廊下灯表示部１３がＬＥＤにより構成されている場合には、ＬＥＤを第一の色または第二の色で発光させる。
【００２５】
廊下灯インターフェース１２がナースコール子機１から呼出信号を入力した場合、廊下灯制御部１１は、廊下灯表示部１３に第一の色を表示させる。この場合、表示の変化を目立たせるように、廊下灯制御部１１は第一の色を点滅表示させることが好ましい（非表示から第一の色の点滅表示への変化）。この状態で、廊下灯インターフェース１２が後述する応答信号を入力すると、廊下灯制御部１１は、廊下灯表示部１３の第一の色の表示を点滅表示から点灯表示（換言すると常時表示）へ変化させる。この状態で、廊下灯インターフェース１２が後述する制御信号を入力した場合に、廊下灯制御部１１は、廊下灯表示部１３に第二の色を表示させる。この場合、表示の変化を目立たせるように、廊下灯制御部１１は第二の色を点灯表示させることが好ましい（第一の色の点灯表示から第二の色の点灯表示への変化）。
【００２６】
また、廊下灯表示部１３が第一の色または第二の色を表示している状態で、廊下灯インターフェース１２が復旧信号を入力した場合、廊下灯制御部１１は、廊下灯表示部１３の第一の色の表示または第二の色の表示を終了させる。また、廊下灯表示部１３が第一の色または第二の色を表示している状態で、廊下灯インターフェース１２がナースコール子機１から再び呼出信号を入力した場合、廊下灯制御部１１は、廊下灯表示部１３に第二の色を表示させる。この場合、表示の変化を目立たせるように、廊下灯制御部１１は第二の色を点滅表示させることが好ましい。このとき、第一の色の点滅表示から第二の色の点滅表示への変化、第一の色の点灯表示から第二の色の点滅表示への変化、第二の色の点灯表示から第二の色の点滅表示への変化の何れかに該当する。
【００２７】
次に、ナースコール親機２０の各構成要素について説明する。親機制御部２１は、ナースコール親機２０の各構成要素を後述するように制御するためのものであり、ＣＰＵなどにより構成されている。インターフェース２２は、廊下灯１０を介してナースコール親機２０とナースコール子機１とを電気的に接続する。インターフェース２２は、ナースコール子機１から出力された呼出信号を、廊下灯１０を介して入力するとともに、復旧操作部５にて生成された復旧信号を入力する。また、ナースコール親機２０とナースコール子機１との間で通話が可能である場合に、インターフェース２２は、ナースコール子機１へ音声信号を送信し、ナースコール子機１から音声信号を受信する。また、ナースコール親機２０とナースコール子機１との間の通信は、有線や無線によって行われる。
【００２８】
タイマー２３は、時間を計測するためのものである。インターフェース２２が呼出信号を入力した場合に、親機制御部２１は、タイマー２３を動作させる。そして、インターフェース２２が呼出信号に含まれる子機識別情報の一部に該当する廊下灯識別情報を含む復旧信号を入力するまでに、タイマー２３が計測した時間が所定時間以上となった場合に、親機制御部２１は制御信号を生成し、インターフェース２２により出力する。一方、タイマー２３が計測した時間が所定時間以上になるまでにインターフェース２２が復旧信号を入力した場合に、親機制御部２１はタイマー２３の動作を停止させる。
【００２９】
報知部２３は、スピーカーなどの音声出力装置やディスプレイなどの表示装置、ＬＥＤなどの点灯装置の少なくとも一つの装置により構成されている。また、報知部２４は、患者が医療従事者を呼び出していることを報知する。インターフェース２２がナースコール子機１から呼出信号を入力した場合に、親機制御部２１は、報知部２４を動作させる。このとき、親機制御部２１は、入力した呼出信号に含まれる子機識別情報に基づいて、呼び出しが行われたナースコール子機１を特定することができるように、スピーカーから報知音を出力させたり、ディスプレイに呼び出しが行われていること、および、呼び出しを行った患者の患者識別情報を表示させたり、ＬＥＤを点滅させたりする。
【００３０】
応答操作部２５は、報知部２４が動作している場合に、報知部２４の報知に対して医療従事者が応答するために使用される。ここで、応答操作部２５は、ハンドセットの置き台に設置されているフックスイッチなどにより構成されている。また、ハンドセットがオフフックされると、親機制御部２１は、報知部２４の動作を停止させる。
【００３１】
このように、ナースコール子機１の呼出操作部３が操作されてから、そのナースコール子機１が接続されている廊下灯１０に接続されている復旧操作部５により復旧の操作が行われるまでの時間の経過により、廊下灯表示部１３に表示される色が第一の色の表示から第二の色の表示に変化する。また、この状態でナースコール子機１の呼出操作部３が再び操作された場合には、廊下灯表示部１３は第一の色の表示ではなく、第二の色の表示を行う。
【００３２】
以上詳しく説明したように、本実施形態によれば、患者が医療従事者を呼び出すための呼出操作部３をナースコール子機１に設け、呼出操作部３が操作された場合には、患者が医療従事者を呼び出していることを、廊下灯１０の廊下灯表示部１３の第一の色の表示により行うようにしている。そして、呼出操作部３が操作されてからナースコール子機１の近傍に設けた復旧操作部５が操作されるまでの時間の経過に従って、廊下灯制御部１１は、廊下灯表示部１３による第一の色の表示を緊急性が高いことを示す第二の色の表示に変化させるとともに、復旧操作部５が操作されるまでの間に再び呼出操作部３が操作された場合に、患者が医療従事者を呼び出していることを、廊下灯表示部１３の第二の色の表示にて行うようにしている。
【００３３】
これにより、患者が呼び出しを行なってから、復旧操作部５が操作されるまでの時間の経過に従って、廊下灯１０で第一の色の表示よりも緊急度が高いことを示す第二の色の表示が行われるので、医療従事者が患者の病室へ行っていない状態がどの程度経過しているのかを視覚的に表示することができる。また、復旧操作部５が操作されていない状態で、患者が再び呼び出しを行った場合に、通常の呼び出しの発生を示す第一の色の表示ではなく、緊急性が高いことを示す第二の色の表示が行われるので、患者が再び呼び出しを行った場合でも、患者が居る病室へ医療従事者が行っていない状態であることを医療従事者に把握させることができる。
【００３４】
なお、前述した実施形態では、復旧操作部５を廊下灯１０に接続するようにしているが、これに限定されない。例えば、復旧操作部５をナースコール子機１に接続するようにしても良い。これにより、呼び出された医療従事者は、病室へ赴くだけではなく、病室の中に入って復旧操作部５を操作する必要が生じる。
【００３５】
また、前述した実施形態では、ナースコール親機２０は、スタッフルームに設置された固定式のものであるが、これに限定されない。例えば、ナースコール親機２０を医療従事者によって携行される携帯端末により構成するようにしても良い。
【００３６】
また、前述した実施形態では、廊下灯表示部１３が、呼び出しが行われてから復旧操作部５が操作されるまでの時間の経過に応じて、第一の色から第二の色の表示を行ない、その間に再度呼出操作部３が操作されると、第二の色の表示を行なっているが、これに限定されない。例えば、報知部２４を構成するディスプレイやＬＥＤなどが上述した表示を行うようにしても良いし、廊下灯表示部１３および報知部２４の両方が上述した表示を行うようにしても良い。この場合、親機制御部２１は前述した実施形態の廊下灯制御部１１と同等の制御を行うことになる。
【００３７】
また、前述した実施形態では、ナースコール子機１の呼出操作部３が操作されたタイミング（正確には、インターフェース２２が呼出信号を入力したタイミング）で親機制御部２１がタイマー２３を動作させているが、これに限定されない。例えば、報知部２４が動作している場合に応答操作部２５が操作されたタイミングで親機制御部２１がタイマー２３を動作させるようにしても良い。
【００３８】
また、前述した実施形態では、廊下灯表示部１３は、第一の色および第二の色の二色のみを表示しているが、これに限定されない。例えば、第一の色と第二の色との間に、中程度の緊急性の高さを示す第三の色（例えば黄色など）を表示させるようにしても良い。また、廊下灯表示部１３が四色以上の色を表示するようにしても良い。
【００３９】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００４０】
１    ナースコール子機
２    子機制御部
３    呼出操作部
４    子機インターフェース
５    復旧操作部
１０    廊下灯
１１    廊下灯制御部
１２    廊下灯インターフェース
１３    廊下灯表示部
２０    ナースコール親機
２１    親機制御部
２２    インターフェース
２３    タイマー
２４    報知部
２５    応答操作部
【図１】
2014140516.tif 000003